(57)【要約】  【課題】  傷のある光ディスク再生時に音飛びが発生するのを防止して光ディスクの再生能力を向上させることができる光ディスク装置を提供すること。  【解決手段】  傷部分１３の通過により光ピックアップ３が内周トラック１４側に移動したものと判断した場合に、再び傷部分１３の通過前のアドレスを取得する再生位置の直前で、ＤＳＰ６に対して出力されるトラッキング駆動信号にオフセットを加える、あるいはＦＥＰ５から入力されるエラー信号にオフセットを加えることにより、トラッキングにオフセット１６を付加する。【選択図】  図１
2005267792.tif 000002
【特許請求の範囲】
【請求項１】
光ディスクに向けて光を出力し、前記光ディスクからの反射光から前記光ディスク上のトラックに記録された情報を読取る光ピックアップと、
前記光ピックアップを前記光ディスクの半径方向に沿って移動させる光ピックアップ制御手段と、
前記光ピックアップによって読取られた情報から前記光ピックアップが前記光ディスクのトラック上の傷を通過し、前記トラックに対して半径方向内周側に移動したことを検出してエラー信号を生成する光ピックアップホールド検出手段とを備え、
前記光ピックアップ制御手段は、前記エラー信号に応じて前記光ピックアップが次回に前記傷を通過する前に、前記光ピックアップが前記トラックに対して半径方向外周側に移動するように前記光ピックアップを移動制御することを特徴とする光ディスク装置。
【請求項２】
前記光ピックアップ制御手段は、前記光ピックアップに出力されるトラッキング駆動信号に、前記光ピックアップを前記半径方向外周側に移動させるためのオフセット信号を付加することを特徴とする請求項１に記載の光ディスク装置。
【請求項３】
前記光ピックアップ制御手段は、前記光ピックアップホールド検出手段から入力される前記エラー信号に、前記光ピックアップを前記半径方向外周側に移動させるためのオフセット信号を付加することを特徴とする請求項１に記載の光ディスク装置。
【発明の詳細な説明】
【技術分野】
【０００１】
本発明は光ディスク装置に関し、例えば、光ディスクの再生時にトラッキング制御を行うことができる光ディスク装置に関する。
【背景技術】
【０００２】
従来、光ディスクに記録された情報を再生する場合には、光ディスクに形成されたトラックに沿って光ピックアップからレーザビームスポットを照射し、反射光からトラックに記録された情報を読取るようになっている。
【０００３】
このため、ビームスポットをトラックの真上に位置するようにピックアップを制御する必要がある。この制御方法として、ビームスポット位置とトラックとの間の偏差に応じたトラッキングエラー信号を発生させ、このエラー信号を用いてサーボ制御を行っている。
【０００４】
ところで、光ディスクの表面に傷や指紋等が存在すると、トラッキングエラー信号が誤った制御信号となり、この偽エラー信号によって光ビームスポットが隣接トラックに移行する等の誤動作を発生してしまうため、この誤動作を防止する必要がある。
【０００５】
従来のこの種の誤動作を防止するものとして、傷が検出されて傷検出信号が生成される直前に、サーボエラー信号に大きな変動成分が含まれると、そのサーボエラー信号の極生と逆極生の信号を傷検出信号生成直後に含むサーボホールド信号を生成し、傷検出信号の生成中にはサーボ駆動信号に代えてサーボホールド信号に応じて光ピックアップの読取り動作を制御することにより、トラックが記録媒体上の傷を通過した場合であっても、傷通過直前のサーボ状態を維持することができるようにしているものがある（例えば、特許文献１参照）。
【特許文献１】特開２０００−９０４６７号公報
【発明の開示】
【発明が解決しようとする課題】
【０００６】
しかしながら、従来のサーボ制御装置にあっては、傷検出信号の生成中にはサーボ駆動信号に代えてサーボホールド信号に応じて光ピックアップの読取り動作を制御するようになっているため、傷通過前後に傷検出の遅れや反射光の乱れ等により偽エラー信号が発生すると、このエラー信号に応答して傷通過後に内周側のトラックにサーボがかかってしまい、その現象が繰り返されると、意図しないホールドトラック状態に陥り、音飛びが発生してしまうおそれがあった。
【０００７】
本発明は、従来の問題を解決するためになされたもので、傷のある光ディスク再生時に音飛びが発生するのを防止して光ディスクの再生能力を向上させることができる光ディスク装置を提供することを目的とする。
【課題を解決するための手段】
【０００８】
本発明の光ディスク装置は、光ディスクに向けて光を出力し、前記光ディスクからの反射光から前記光ディスク上のトラックに記録された情報を読取る光ピックアップと、前記光ピックアップを前記光ディスクの半径方向に沿って移動させる光ピックアップ制御手段と、前記光ピックアップによって読取られた情報から前記光ピックアップが前記光ディスクのトラック上の傷を通過し、前記トラックに対して半径方向内周側に移動したことを検出してエラー信号を生成する光ピックアップホールド検出手段とを備え、
前記光ピックアップ制御手段は、前記エラー信号に応じて前記光ピックアップが次回に前記傷を通過する前に、前記光ピックアップが前記トラックに対して半径方向外周側に移動するように前記光ピックアップを移動制御するものから構成される。
【０００９】
この構成により、傷を通過することにより光ピックアップが半径方向内周側に移動したとき、光ピックアップが次回に傷を通過する前に、光ピックアップがトラックに対して半径方向外周側に移動するように光ピックアップを移動制御するので、意図しないホールドトラックを解除して音飛びが発生するのを防止することができ、光ディスクの再生能力を向上させることができる。
【００１０】
また、本発明の光ディスク装置は、前記光ピックアップ制御手段は、前記光ピックアップに出力されるトラッキング駆動信号に、前記光ピックアップを前記半径方向外周側に移動させるためのオフセット信号を付加するものから構成される。
【００１１】
この構成により、傷を通過することにより光ピックアップが半径方向内周側に移動したとき、光ピックアップが次回に傷を通過する前に、光ピックアップがトラックに対して半径方向外周側に移動するように光ピックアップを移動制御することができる。
【００１２】
また、本発明の光ディスク装置は、前記光ピックアップ制御手段は、前記光ピックアップホールド検出手段から入力される前記エラー信号に、前記光ピックアップを前記半径方向外周側に移動させるためのオフセット信号を付加するものから構成される。
【００１３】
この構成により、傷を通過することにより光ピックアップが半径方向内周側に移動したとき、光ピックアップが次回に傷を通過する前に、光ピックアップがトラックに対して半径方向外周側に移動するように光ピックアップを移動制御することができる。
【発明の効果】
【００１４】
以上説明したように、本発明は、傷のある光ディスク再生時に音飛びが発生するのを防止して再生能力を向上させることができる光ディスク装置を提供することができる。
【発明を実施するための最良の形態】
【００１５】
以下、本発明の実施の形態について、図面を用いて説明する。
【００１６】
図１、図２は本発明に係る光ディスク装置の一実施の形態を示す図である。
【００１７】
まず、構成を説明する。図１において、ＣＤ、ＤＶＤ等の光ディスク１はスピンドルモータ２によって回転駆動されるようになっている。
【００１８】
光ピックアップ３は、光ディスク１のトラック上のピットによって記録されるデジタル情報をレーザビームを用いて読取るようになっており、ドライバモータは光ピックアップ３を光ディスク１の半径方向に沿って移動させるトラバースモータ４から構成される。本実施の形態では、トラバースモータ４が光ピックアップ移動手段を構成している。
【００１９】
フロントエンドプロセッサ（以下、単にＦＥＰという）５は、光ピックアップ３から出力された読取信号をもとにフォーカスエラー信号およびトラッキングエラー信号を生成して出力するとともに、前記読取信号（ＲＦ信号）の増幅およびこれらの信号から光ディスク１上の傷を検出して出力するようになっている。
【００２０】
ＤＳＰ（Digital Signal Processor）６はＦＥＰ５から出力されるＲＦ信号を波形整形してデジタルデータのＥＦＭ（Eight to Fourteen Modulation）信号として復調、符号誤り訂正および補完等の処理を行うようになっている。
【００２１】
また、ＤＳＰ６は、デジタル信号をアナログ信号に変換するＤＡコンバータ、ＤＡコンバータより出力されたアナログ信号をオーディオ信号に増幅および音質制御等の処理を行うオーディオ回路を備えており、オーディオ出力端子７を介して外部のスピーカ等に出力を行う。
【００２２】
システムコントローラ８は、ＣＰＵ（Central Processing Unit）、このＣＰＵで用いられるプログラムが記憶されたＲＯＭ（Read Only Memory）、データ記憶用ＲＡＭ（Random Access Memory）、およびＩ／Ｏ（入出力）ポートを含んで構成される。
【００２３】
ＤＳＰ６はサーボコントローラ回路の機能も備えており、システムコントローラ８の制御下にＦＥＰ５から出力されるフォーカスエラー信号およびトラッキングエラー信号を用いて、光ピックアップ３のフォーカスサーボおよびトラッキングサーボと、トラバースモータ４を送るトラバースサーボとを行うために制御信号を出力する。
【００２４】
フォーカスドライバ９は、ＤＳＰ６のサーボコントローラ回路から出力されるフォーカスサーボ制御信号を用いて、光ピックアップ３の対物レンズの焦点が常に光ディスク１の信号記録面上に合致するように光ピックアップ３のフォーカスサーボ用アクチュエータを駆動する。
【００２５】
トラッキングドライバ１０は、トラッキングサーボ制御信号を用いて、光ピックアップ３から出力されるレーザビームが常に光ディスク１のトラック上をトレースするように光ピックアップ３のトラッキングサーボ用アクチュエータを駆動する。トラバースドライバ１１は、ＤＳＰ６から出力されるトラバースサーボ制御信号を用いて、光ピックアップ３から出力されるレーザビームが所定の光ディスク１の信号トラック上をトレースするようにトラバースモータ４を駆動する。
【００２６】
また、ＤＳＰ６は光ピックアップ３が光ディスク１上のトラックに対して半径方向内周側に移動することを検出してエラー信号を生成するようになっており、光ピックアップホールド検出手段を有している。
【００２７】
また、ＤＳＰ６は光ピックアップ３が光ディスク１の半径方向内周側に移動したとき、光ピックアップ３が次回に傷を通過する前に、光ピックアップ３がトラックに対して半径方向外周側に移動するように光ピックアップ３を移動制御するようになっており、光ピックアップ制御手段を有している。
【００２８】
次に、図２に基づいてトラッキング制御方法を説明する。図２は光ディスク１の傷部分を拡大した概念図を示すものである。
【００２９】
まず、傷のある光ディスク１を再生した場合、光ピックアップ３から出力されたレーザビーム１２が光ディスク１の傷部分（枠で囲む部分）１３に到達すると、ＤＳＰ６が傷を検出するまでの時間にトラッキングサーボが偽エラー信号に追従し、傷通過後に１周前、すなわち、光ディスク１の半径方向内周側の内周トラック１４にかかることがある。この状態が繰り返されると、ホールドトラック状態となるため、次回以降、目的トラック１５に到達できるように、光ピックアップ３が傷部分１３を通過する前に、光ピックアップ３が目的トラック１５に対して１周後のトラック、すなわち、半径方向外周側の外周トラック１７側に移動するようにトラッキング駆動信号にオフセット１６を付加する。
【００３０】
具体的には、光ディスク１上にあるアドレス情報は、光ディスク１から光ピックアップ３により読取られ、ＦＥＰ５によりＲＦ信号、ＤＳＰ６によりデジタルデータとして生成され、システムコントローラ８に送られる。また、アドレス情報は、外周側に行くに従って進んでいる。
【００３１】
以上のことを利用し、システムコントローラ８は、アドレス情報を更新する際に、更新前のアドレスと更新後のアドレスを常に比較し、再生中に更新後のアドレス情報が更新前のアドレス情報より遅れていた場合には、傷通過によって内周トラック１４に移動したものと判断する。
【００３２】
ここで、シーク処理等のコマンドが外部からの操作によりアドレスが変化する場合を除くために、シスコンファームにフラグ等を用いて再生中のアドレス情報更新を明確化する。
【００３３】
システムコントローラ８は、傷通過による内周移動であると判断した場合に、再び傷通過前のアドレスを取得する再生位置の直前で、ＤＳＰ６に対して出力されるトラッキング駆動信号にオフセットを加える、あるいはＦＥＰ５から入力されるエラー信号にオフセットを加えることにより、トラッキング（目的トラック１５）にオフセット１６を付加する。
【００３４】
これらのオフセット量は、システムにより設計時に適切に決定し、その値でもホールドトラックが解除されずに内周トラック１４に移動した場合は、オフセット量をインクリメントする。
【００３５】
このように本実施の形態では、傷部分１３の通過により光ピックアップ３が内周トラック１４側に移動したものと判断した場合に、再び傷部分１３の通過前のアドレスを取得する再生位置の直前で、ＤＳＰ６に対して出力されるトラッキング駆動信号にオフセットを加える、あるいはＦＥＰ５から入力されるエラー信号にオフセットを加えることにより、トラッキングにオフセット１６を付加するようにしたので、意図しないホールドトラックを解除して音飛びが発生するのを防止することができ、光ディスク１の再生能力を向上させることができる。
【産業上の利用可能性】
【００３６】
以上のように、本発明に係る光ディスク装置は、傷のある光ディスク再生時に音飛びが発生するのを防止して光ディスクの再生能力を向上させることができるという効果を有し、光ディスクの再生時にトラッキング制御を行うことができる光ディスク装置等として有用である。
【図面の簡単な説明】
【００３７】
【図１】本発明の一実施の形態における光ディスク装置のブロック図
【図２】一実施の形態の傷部分を光ピックアップが通過するときの状態を示す図
【符号の説明】
【００３８】
１  光ディスク
３  光ピックアップ
４  トラバースモータ（光ピックアップ移動手段）
６  ＤＳＰ（光ピックアップホールド検出手段、光ピックアップ制御手段）
１３  傷部分
１４  内周トラック
１５  目的トラック
１６  オフセット
１７  外周トラック
【図１】
2005267792.tif 000003
【図２】
2005267792.tif 000004